(57)【要約】【課題】パチンコ機を外枠に係止するためのフックの取付位置が異なるパチンコ機にも共通して使用することができる外枠を実現する。【解決手段】右側板２１の突出部２１ｊには、パチンコ機１の裏面に取付けられたフック７０を係止する係止部材６０が取付位置を上下方向に調節可能に取付けられている。係止部材６０は、係止片６１と、この係止片６１を取付けるためのボルト６１およびナットを備える。突出部２１ｊにはスリット２１ｅが上下方向に形成されている。係止片６１のボルト挿通孔には、それそれボルト６２が挿通されており、各ボルト６２はスリット２１ｅを通って突出部２１ｊの裏面から突出し、その突出した各ボルト６２にはナット（図示省略）が締結されている。【選択図】図２
2013042896.tif 000002
【特許請求の範囲】
【請求項１】
パチンコ機の一方の側端を回動軸にして軸支するとともに、前記パチンコ機の裏面に設けられたフックを係止する係止部材が設けられた外枠において、
前記係止部材が取付位置を調節可能に側板に取付けられていることを特徴とする外枠。
【請求項２】
板面に上下方向に形成された複数のリブと、内側の板面において上端から下端に亘って突出した突出部とを有する側板を左右両側に有し、
前記係止部材は、取付位置を調節可能に右側の側板の前記突出部に取付けられていることを特徴とする請求項１に記載の外枠。
【発明の詳細な説明】
【技術分野】
【０００１】
この発明は、パチンコ機をパチンコホールの所定個所に設置するための外枠に関する。
【背景技術】
【０００２】
図３は、従来のパチンコ機を斜め前方から見た斜視図である。図４は、図３に示すパチンコ機を斜め後方から見た斜視図である。図５は、図３に示すパチンコ機が取付けられた外枠の正面図である。図６は、図５に示す外枠に取付けられた係止片の斜視図である。図７は、図３に示すパチンコ機に取付けられたフックの右側面図である。
【０００３】
従来のパチンコ機１は、パチンコ機１をパチンコホールの島設備に取付けるための外枠８を備える。外枠８は、枠状に構成されており、上部に配置された天板８ａと、底部に配置された底板８ｂと、天板８ａおよび底板８ｂの各右端間を連結する右側板８ｃと、天板８ａおよび底板８ｂの各左端間を連結する左側板８ｄと、右側板８ｃおよび左側板８ｄの各前面下端間を連結する幕板８ｅとを備える。天板８ａ、底板８ｂ、右側板８ｃ、左側板８ｄおよび幕板８ｅは、それぞれ木製で板状に形成されている。
【０００４】
図７に示すように、前枠セット２の裏面には、パチンコ機１を外枠８に係止するためのフック７０がそれぞれ上下に取付けられており、外枠８の右側板８ｃの内側板面には、フック７０を係止する係止片８ｆがそれぞれ上下に固定されている。各係止片８ｆは、それぞれＬ字型の金属製部材により形成されており、それぞれネジによって右側板８ｃの内側板面に固定されている。上下のフック７０は、連結部材８０によって連結されており、各フック７０は、連結部材８０を介して上下に昇降可能に構成されている。また、各フック７０は、バネ（図示せず）によって上方へ付勢されている。
【０００５】
前枠セット２が閉成された状態では、各フック７０は、対応する各係止片８ｆに係止されている。また、通常は、各フック７０が各係止片８ｆに係止された状態は、ロック機構（図示せず）によってロックされており、前枠セット２を開放することができないようになっている。また、鍵を使って上記のロック機構を解除すると、ロック状態が解除され、各フック７０が下降し、前枠セット２を開放することができる。また、開放された前枠セット２を前枠セット２に向けて回動させると、各フック７０のテーパ面７１が各係止片８ｆの下端に当接しながら下降し、各係止片８ｆの下端が各フック７０の頂部７２を乗り越えると、各フック７０が上昇し、各係止片８ｆの下端が各フック７０の係止部７３に係止された状態になり、前枠セット２が閉成される。
【０００６】
外枠８の左上角であって天板８ａの左端と左側板８ｄの上端との連結部には、ヒンジ軸１６を有する金属製の上蝶番１５が取付けられており、幕板８ｅの左端上面には金属製の下蝶番１７（図５）が取付けられている。上蝶番１５および下蝶番１７には、前枠セット２が回動可能に軸支されている。前枠セット２には遊技盤５が設けられており、遊技盤５は、前枠セット２の開口部に設けられたガラス３によって覆われている。遊技盤５には、図示しない入賞口、始動口、普通電動役物および変動入賞装置などが設けられており、盤面には遊技球の流下経路を変化させる多数の遊技釘が打ち込まれている。
【０００７】
前枠セット２の右下には、遊技球を遊技盤５へ発射する発射装置を操作するための発射ハンドル４が設けられており、発射ハンドル４には、発射装置の発射強度を調節するための発射レバー４ａが回動可能に設けられている。ガラス３の下方の前枠セット２には、排出口６ｂから排出される賞球および貸球を貯留する上受け皿６が設けられている。上受け皿６には、上受け皿６に貯留されている遊技球を下受け皿７へ排出させるために操作する球抜きレバー６ａと、貸球の払出しを行わせるために操作する貸出ボタン６ｃと、パチンコ機１に併設されたプリペイド記録媒体読取装置（図示せず）に挿入されているプリペイド記録媒体を返却させるために操作する返却ボタン６ｄと、プリペイド記録媒体に記録されている残り度数（残高）を表示する度数表示部６ｅとが設けられている。
【０００８】
上受け皿６の下方には、上受け皿６から流下した遊技球を貯留する下受け皿７が設けられている。下受け皿７の底部には遊技球を排出するための球抜き孔７ｂが開閉可能に形成されており、下受け皿７の前端には、球抜き孔７ｂを開閉させる球抜きレバー７ａがスライド可能に設けられている。また、前枠セット２には、払出すべき遊技球が無いことを報知する球切れＬＥＤ１３と、遊技球の払出しの異常を報知する払出異常ＬＥＤ１４と、効果音を発生する右スピーカ１０と、左スピーカ１１と、下スピーカ１２とが設けられている。
【０００９】
図４に示すように、パチンコ機１の裏面には裏セット４０が設けられている。裏セット４０の上部には、パチンコ機１が設置された島設備から供給される遊技球を貯留するための球タンク４１が設けられている。球タンク４１の下方にはカバー４２が設けられており、そのカバー４２の内部には、主制御基板が収容された主制御基板ケース（図示せず）などが設けられている。主制御基板には、入賞の検出、大当りかハズレかの判定などを行うマイクロコンピュータが搭載されている。
【００１０】
カバー４２の右方には、賞球を払出す賞球払出装置４５が設けられている。カバー４２の下方には、発射装置を制御する発射制御基板が収容された発射制御基板ケース（図示せず）４３と、賞球払出装置４５を制御する払出制御基板が収容された払出制御基板ケース４４とが設けられている。また、裏セット４０には、パチンコ機１にＡＣ２４Ｖを供給するための電源プラグ４６が接続されている。前枠セット２および裏セット４０は、外枠８に支持されている。
【先行技術文献】
【特許文献】
【００１１】
【特許文献１】特開２００３−３３５２７号公報（第２段落、図５，図６）
【発明の概要】
【発明が解決しようとする課題】
【００１２】
ところで、外枠は、パチンコ機の機種に合わせて製造するため、パチンコホールが新機種を入れ替える毎に多くの外枠が廃棄処分となり、材木などの資源保護の観点から問題になっている。
【００１３】
そこで、本願発明者は、パチンコ機の各機種に共通して使用することができる外枠を研究した。しかし、パチンコ機を外枠に係止するためのフック（図７の符号７０）の取付位置が機種毎に異なるため、それに対応するために、フックを係止する係止片（図６の８ｆ）の取付位置が異なる外枠を他種類製造しなければならないことが問題となった。
【００１４】
そこで、この出願に係る発明は、パチンコ機を外枠に係止するためのフックの取付位置が異なるパチンコ機にも共通して使用することができる外枠を実現することを目的とする。
【課題を解決するための手段】
【００１５】
上記の目的を達成するため、この出願の請求項１に係る発明では、パチンコ機（１）の一方の側端を回動軸にして軸支するとともに、前記パチンコ機の裏面に設けられたフック（７０）を係止する係止部材（６０）が設けられた外枠（２０）において、前記係止部材が取付位置を調節可能に側板（２１）に取付けられているという技術的手段を用いる。
【００１６】
請求項２に記載の発明では、請求項１に記載の外枠（２０）において、板面に上下方向に形成された複数のリブ（２１ｃ，２１ｋ，２１ｍ）と、内側の板面（２１ｑ）において上端から下端に亘って突出した突出部（２１ｊ）とを有する側板（２１，２２）を左右両側に有し、前記係止部材（６０）は、取付位置を調節可能に右側の側板（２１）の前記突出部に取付けられているという技術的手段を用いる。
【００１７】
なお、上記各括弧内の符号は、後述する実施形態に記載の具体的手段との対応関係を示すものである。
【発明の効果】
【００１８】
（請求項１に係る発明の効果）
請求項１に係る発明の外枠を実施すれば、パチンコ機の裏面に設けられたフックを係止する係止部材が取付位置を調節可能に側板に取付けられているため、パチンコ機の機種によってフックの取付位置が異なっても、係止部材の取付位置を調節することにより、フックの係止が可能になる。
したがって、パチンコ機を外枠に係止するためのフックの取付位置が異なるパチンコ機にも共通して使用することができる外枠を実現することができる。
【００１９】
（請求項２に係る発明の効果）
請求項２に係る発明の外枠を実施すれば、板面に上下方向に形成された複数のリブと、内側の板面において上端から下端に亘って突出した突出部とを有する側板を左右両側に備えるため、外枠の剛性を高めることができる。
【図面の簡単な説明】
【００２０】
【図１】この発明の実施形態に係る外枠２０の正面図である。
【図２】図１に示す外枠２０の右側板２１に係止片６０が取付けられた状態を一部省略して拡大して示す斜視図である。
【図３】従来のパチンコ機１を斜め前方から見た斜視図である。
【図４】図２に示すパチンコ機１を斜め後方から見た斜視図である。
【図５】図３に示すパチンコ機が取付けられた外枠の正面図である。
【図６】図５に示す外枠に取付けられた係止片の斜視図である。
【図７】図３に示すパチンコ機に取付けられたフックの右側面図である。
【発明を実施するための形態】
【００２１】
［第１実施形態］
この発明の実施形態に係る外枠について図を参照して説明する。図１は、この実施形態に係る外枠２０の正面図である。図２は図１に示す外枠２０の右側板２１に係止片６０が取付けられた状態を一部省略して拡大して示す斜視図である。なお、この実施形態に係る外枠に取付けるパチンコ機は、前述した従来のパチンコ機１と同じであるため、同じ符号を用いる。
【００２２】
図１に示すように、この実施形態に係る外枠２０は枠状に構成されており、上部に配置された天板２３と、底部に配置された底板２４と、天板２３および底板２４の各右端間を連結する右側板２１と、天板２３および底板２４の各左端間を連結する左側板２２と、右側板２１および左側板２２の各前面の下端間を連結する幕板２５および補強部材２８とを備える。この実施形態では、天板２３、底板２４および幕板２５は、それぞれ木製で板状に形成されており、右側板２１および左側板２２および補強部材２８は、それぞれアルミニウムにより形成されている。
【００２３】
天板２３の右端と右側板２１の上端とは、Ｌ字型の連結金具３１によって連結されている。天板２３の左端と左側板２２の上端とは、金属製の上蝶番２９によって連結されている。上蝶番２９は、蝶番と連結金具とを兼用している。底板２４および幕板２５の各左端と左側板２２の下端とは、Ｌ字型の連結金具３０によって連結されている。幕板２５の左端の上面には、金属製の下蝶番３４が固定されている。
【００２４】
底板２４および幕板２５の各右端と右側板２１の下端とは、Ｌ字型の連結金具３２によって連結されている。パチンコ機１の左上角および左下角は、ヒンジ（図示省略）を介して上蝶番２９および下蝶番３４に回動可能に軸支される。右側板２１の上方には当接金具５０が取付けられている。当接金具５０は、前枠セット２の裏面に取付けられた前枠開放スイッチ（図示せず）のロッドの先端が当接することにより、ロッドを押し込んで前枠開放スイッチをスイッチングさせるための金具である。
【００２５】
右側板２１の上下には、前枠セット２の裏面に設けられたフック７０（図７）を係止するための係止部材６０，６０が取付位置を調節可能に取付けられている。図２に示すように、右側板２１の上方に取付けられた係止部材６０は、金属製で板状の係止片６１と、この係止片６１を固定するためのボルト６２，６２およびナット（図示せず）とを備える。板状部材６１には、ボルト６２を挿通するボルト挿通孔（図示せず）が上下に２箇所貫通形成されている。
【００２６】
右側板２１の内側の板面２１ｑには、縦長板状の突出部２１ｊが左方へ突出形成されている。突出部２１ｊは、板面２１ｑの上端から下端に亘って形成されている。突出部２１ｊの前面および後面間には、ボルト６２を挿通可能なスリット２１ｅが上下方向に形成されている。係止片６１の各ボルト挿通孔に挿通された各ボルト６２は、スリット２１ｅを通って突出部２１ｊの裏面から突出し、その突出した各ボルト６２にはナット（図示省略）が締結されている。係止片６１は、締結されたナットを緩ませることにより、スリット２１ｅに沿って上下に移動することができる。
【００２７】
つまり、係止片６１は、ボルト６２およびナットによって突出部２１ｊに上下方向に移動可能に取付けられている。
したがって、外枠２０に軸支するパチンコ機１の機種が変更になり、パチンコ機１の裏面に取付けられたフック７０の取付け位置が変わった場合であっても、そのフック７０の取付位置に応じて係止片６１の取付位置を調節することができる。
したがって、パチンコ機１を外枠２０に係止するためのフック７０の取付位置が異なるパチンコ機にも共通して使用することができる外枠２０を実現することができる。
特に、係止片６１は、スリット２１ｅを介して移動することができるため、取付位置を無段階で微調整することができる。
【００２８】
右側板２１の外側の板面２１ａであってその後部には、溝２１ｈが上下方向に形成されている。この溝２１ｈにより、外側の後端に凸状のリブ２１ｃが上下方向に形成されている。リブ２１ｃは、溝２１ｈの上端から下端に亘って形成されている。内側の板面２１ｑであってその後端には、板状のリブ２１ｍが上下方向に形成されており、そのリブ２１ｍから前方に間隔を置いて板状のリブ２１ｋが上下方向に形成されている。リブ２１ｍ，２１ｋは、それぞれ内側の上端２１ｄから下端に亘って形成されている。また、リブ２１ｍ，２１ｋは平行に配置されており、それらの先端間は、板状部２１ｎによって連結されている。リブ２１ｍ，２１ｋおよび板状部２１ｎによって囲まれた部分には、空間２１ｐが形成されている。
【００２９】
上述したように、右側板２１の外側には、リブ２１ｃが上下方向に形成されており、かつ、内側には、リブ２１ｋ，２１ｍが上下方向に形成されているため、外枠２０の剛性を高めることができる。しかも、リブ２１ｍ，２１ｋの先端間が板状部２１ｎによって連結されているため、リブ２１ｍ，２１ｋの撓みが抑制されるので、外枠２０の剛性をより一層高めることができる。しかも、右側板２１はアルミニウムにより形成されているため、リサイクルすることができる。
【００３０】
また、突出部２１ｊの前面２１ｊ１は、パチンコ機１の遊技盤５の右側端の後面と当接する位置に形成されている。
したがって、右側板２１と遊技盤５の右端との間に隙間が生じることがないため、その隙間から遊技盤５の盤面へワイヤーを挿入して強制的に賞球を払出させる不正行為が起きるおそれがない。
なお、左側板２２の外側の板面は右側板２１の外側の板面２１ａと同じ形状に形成されており、左側板２２の内側の板面は、突出部にスリットが形成されていない以外は、右側板２１の内側の板面２１ｑと同じ形状に形成されている。
【００３１】
つまり、上述した外枠２０は、板面に上下方向に形成された複数のリブと、内側の板面において上端から下端に亘って突出した突出部とを有し、金属または合成樹脂により形成された側板を両側に備える。また、突出部の前面が、遊技盤の側端の後面と重なるように配置されている。
【００３２】
〈他の実施形態〉
（１）外枠２０の構造として、突出部２１ｊの板面に複数のボルト挿通孔を上下方向に貫通形成した構造を用いることもできる。この外枠２０を使用すれば、ボルトを挿通するボルト挿通孔を選択することにより、係止片６１の取付位置を調節することができるため、フック７０の取付位置の変化に対応することができる。
【００３３】
（２）右側板２１の外側の板面２１ａおよび内側の板面２１ｑ間にスリットを上下方向に形成し、ボルトおよびナットを用い、Ｌ字型の係止片６１を上記スリットに取付位置を調節可能に取付けることもできる。
【符号の説明】
【００３４】
１・・パチンコ機、２・・前枠セット、５・・遊技盤、２０・・外枠、
２１・・右側板（側板）、２１ｅ・・スリット、２１ｊ・・突出部、
２１ｃ，２１ｋ，２１ｍ・・リブ、２１ｑ・・内側の板面、６０・・係止部材、
６１・・係止片、７０・・フック。
【図１】
2013042896.tif 000003
【図２】
2013042896.tif 000004
【図３】
2013042896.tif 000005
【図４】
2013042896.tif 000006
【図５】
2013042896.tif 000007
【図６】
2013042896.tif 000008
【図７】
2013042896.tif 000009